(57)【要約】  【課題】低年齢の幼児が使用する仕切り壁の無いトイレブースに、大便器間に仕切り状の手すりを設置するとともに、共有使用できるようにロールペーパーを設置することである。  【解決手段】  大便器間に壁面等の仕切りが無いトイレブースに設けられる手すり構造であって、少なくとも一対設けられた大便器間で、かつ両大便器が設置された空間の一部を仕切るように固定された板状の手すり本体と、該手すり本体に形成された所定大きさの貫通孔と、該貫通孔内に配置されるロールペーパーを回転自在に支持する支持部材と、を備え、前記手すり本体は、ロールペーパーが正面視で手すり本体より両側方に突出するように形成されていることを特徴とする。  【選択図】図１
2008125926.tif 000002
【特許請求の範囲】
【請求項１】
大便器間に壁面等の仕切りが無いトイレブースに設けられる手すり構造であって、
少なくとも一対設けられた大便器間で、かつ両大便器が設置された空間の一部を仕切るように固定された板状の手すり本体と、
該手すり本体に形成された所定大きさの貫通孔と、
該貫通孔内に配置されるロールペーパーを回転自在に支持する支持部材と、を備え、
前記手すり本体は、ロールペーパーが正面視で手すり本体より両側方に突出するように形成されていることを特徴とする手すり。
【請求項２】
前記貫通孔に対してロールペーパーが略水平に回転自在に支持され、かつ、該略水平な回転中心軸を、前記貫通孔の中心より下方に編奇して支持することで、前記貫通孔の下部縁とロールペーパー下端までの距離が、貫通孔上部縁とロールペーパー上端までの隙間距離より小さくなるように構成したことを特徴とする請求項１記載の手すり。
【請求項３】
前記貫通孔の上部縁は弧状に形成されているとともに、下部縁は上部縁より大きい半径の弧状もしくはロールペーパーの下端と略平行の略直線状に形成されていることを特徴とする請求項２記載の手すり。
【請求項４】
前記手すり本体には、前方側にオフセットした位置に前記貫通孔が形成され、後方側にオフセットした位置に手すり用となる開口が形成されていることを特徴とする請求項１記載の手すり。
【請求項５】
前記貫通孔の前記手すり用の開口側に位置する周縁が円弧形状に形成されていることを特徴とする請求項４記載の手すり。
【請求項６】
前記手すり本体に一体的に形成された複数の脚部と、該脚部を床面に固定する締結部材と、該締結部材を覆うように前記脚部に挿入されたカバー部材と、を備え、前記複数の脚部は、略同一幅で、かつ同一傾斜角度に形成されていることを特徴とする請求項１記載の手すり。
【請求項７】
前記複数の脚部には、長手方向の距離を吸収させるように長穴を介して床面に固定されていることを特徴とする請求項６記載の手すり。
【発明の詳細な説明】
【技術分野】
【０００１】
本発明は、幼児が使用する大便器用の手すりに係り、詳細には、壁面が無い場所でも紙巻器を設置する場合に好適で、大便器へのアプローチ補助、並びに幼児の大便器での姿勢保持の役割をする手すりに関する発明である。 
【背景技術】
【０００２】
一般的なトイレブースは、大便器設置空間内に一つの大便器が設置され、大便器が設置されたブースの壁面に手すりや紙巻器を固定するものであった。また、壁面に手すりを固定し、この手すりに一体的に紙巻器が設置されたものも知られていた。（例えば、特許文献１参照）
しかしながら、保育園等での低年齢が使用する幼児用のトイレブースでは、保育士が複数の幼児を同時に介助する目的と、複数の幼児の動作に目が行き届くようにするために、ブース内に複数の大便器が並んで設置されていることが多く、大便器間が壁等で仕切れていないことが多かった。
【特許文献１】特開２００６−２５５１４３号公報
【発明の開示】
【発明が解決しようとする課題】
【０００３】
このように大便器が複数並設されるだけの状態で設置されることが多かった保育園等のトイレブースにあっては、幼児が大便器を使用する際や、大便器に跨る際に掴まる所がなく、また、ロールペーパーを保持する紙巻器を便器横に設置することができないため、幼児が排泄後床面に置かれた紙や後方の壁に設置された紙巻器から紙を取る必要があり、使い勝手の面で課題があった。
本発明は、上記問題を解決するためになされたもので、本発明の目的は、低年齢の幼児等が使用する複数の大便器が並設されたトイレブースにおいて、保育士の介助性を損なうことのない手すりを大便器間に提供するとともに、使用者が容易に使用できる位置にロールペーパーを設置でき、さらに、手すりの両側の使用者が操作感よく一つのペーパーを共有使用できる実用性の高い紙巻器付きの手すりを提供せんとするものである。
【課題を解決するための手段】
【０００４】
上記目的を達成するために請求項１記載の発明によれば、大便器間に壁面等の仕切りが無いトイレブースに設けられる手すり構造であって、少なくとも一対設けられた大便器間で、かつ両大便器が設置された空間の一部を仕切るように固定された板状の手すり本体と、該手すり本体に形成された所定大きさの貫通孔と、該貫通孔内に配置されるロールペーパーを回転自在に支持する支持部材と、を備え、前記手すり本体は、ロールペーパーが正面視で手すり本体より両側方に突出するように形成されている。
これにより壁面等の仕切りが無いトイレブース内に、保育士の介助性を損なうことがない状態で、両側の使用者がともに大便器にアプローチする際や、便座に着座した際の姿勢保持を行うことのできる手すりを提供することができる。また、大便器に着座した状態のままで手すりに支持されたロールペーパーから容易に紙を取ることができる。さらに、両側の大便器使用者が単一のロールペーパーを使用する構造であるため、ロールペーパーの設置スペースや手すり本体からの突出量を小さくでき、介助性や歩行性への影響を極めて小さなものとできる。また、手すり領域の十分な確保も可能となり、さらに、ロールペーパーの設置数も減らせるため取替え負担を軽減できるという実用上優れた特有の効果を数々奏することができるるものである。
【０００５】
また、請求項２記載の発明のよれば、前記貫通孔に対してロールペーパーが略水平に回転自在に支持され、かつ、該略水平な回転中心軸を、前記貫通孔の中心より下方に編奇して支持することで、前記貫通孔の下部縁とロールペーパー下端までの距離が、貫通孔上部縁とロールペーパー上端までの隙間距離より小さくなるように構成した。
単一のロールペーパーを両側にいる使用者が共有使用する際、一方の使用者がロールペーパーを使用した後に、他方の使用者がロールペーパーを使用する際は、ロールペーパーを回転させてその端を自分の方に持ってくる必要が生じる。本発明によれば、貫通孔の上部の隙間距離が大きく設定されているため、手を挿入してロールペーパーを簡単に回転させてロールペーパーの端を自分の方に簡単に持ってくることが出来る。
ここで、単一のロールペーパーを両側の使用者が共有使用する場合、手すり本体に対して一側に位置する一方の使用者は、ペーパーの端がロールペーパーの上方になるが、他側に位置する他方の使用者はロールペーパーの下方からペーパーの端を持って引き出すような操作になる。上方から取り出す一方の使用者は何等不都合が生じないが、下方から取り出すことになる他方の使用者は、ペーパーの端が自重で垂れ下がる際に貫通孔を通過して手すり本体の反対側に端が行ってしまうことがあり、何度もロールペーパーを回転させて自分の方に端が残るように操作しないといけないという問題があった。しかし、本発明においては、貫通孔の下部縁とロールペーパー下端との隙間を小さくしているため、ペーパーの端は貫通孔の周縁の手すり本体に引っ掛かって反対側に行きにくくなっていることから、両側の使用者がともに簡単にロールペーパーを使用できるという優れた効果を奏することができる。
【０００６】
また、請求項３記載の発明のよれば、前記貫通孔の上部縁は弧状に形成されているとともに、下部縁は上部縁より大きい半径の弧状もしくはロールペーパーの下端と略平行の略直線状に形成されている。
これによれば、手の形に沿うような小さな径の弧状に形成された上部縁から容易に手を挿入してロールペーパーを回転させることができる。一方で、貫通穴の下部縁は、大きな弧状もしくは略直線状に形成しているため、請求項２記載の構造とともに一層ロールペーパーを反対側に行きにくくすることが可能となる。
【０００７】
また、請求項４記載の発明のよれば、前記手すり本体には、前方側にオフセットした位置に前記貫通孔が形成され、後方側にオフセットした位置に手すり用となる開口が形成されている。
これによれば、使用者が便座に着座した際や、便器後方に配置されている給水タンクのレバーを操作するために便器後方に移動する際に、手すりとして握る位置を最適なものと出来、より姿勢保持を確実にすることができる。
【０００８】
また、請求項５記載の発明のよれば、前記貫通孔の前記手すり用の開口側に位置する周縁が円弧形状に形成されている。
これによれば、ロールペーパーの取替え性を確保するために必要な貫通孔の大きさを確保しつつ、手すりに大きな荷重が作用しても貫通孔と開口間に亀裂等が発生することのない必要な強度を確保できる。すなわち、円弧状に形成されているため、ロールペーパーを支える芯部材の領域に大きな空間を確保できることから手を差し込んでの作業が容易になる。一方で、直線ではなく弧状になっているため、構造的に強度が高く、かつ貫通孔の上下部分では手すり開口までの距離を大きく確保できるため、手すりに作用する荷重を受け持つに足る十分な強度部を確保することが可能になる。
【０００９】
また、請求項６記載の発明のよれば、前記手すり本体に一体的に形成された複数の脚部と、該脚部を床面に固定する締結部材と、該締結部材を覆うように前記脚部に挿入されたカバー部材と、を備え、前記複数の脚部は、略同一幅で、かつ同一傾斜角度に形成されている。これにより、幼児等の使用者が締結部材に触れてけがをすることがなく、また、各脚部のカバーは同一部材を使用することができ、製造コストを抑えることができる。
【００１０】
また、請求項７記載の発明のよれば、前記複数の脚部には、長手方向の距離を吸収させるように長穴を介して床面に固定されている。これにより、手すりを設置する際に前後方向の施工誤差や製造誤差を容易に吸収させることができる。
【発明の効果】
【００１１】
本発明によれば、低年齢の幼児等が使用する仕切り壁の無い大便器が複数設置されたトイレブース内に、保育士の介助性を損なうことがない状態で、両側の使用者がともに大便器にアプローチする際や、便座に着座した際の姿勢保持を行うことのできる手すりを提供することができる。また、大便器に着座した状態のままで手すりに支持されたロールペーパーから容易に紙を取ることができる。さらに、両側の大便器使用者が単一のロールペーパーを使用する構造であるため、ロールペーパーの設置スペースや手すり本体からの突出量を小さくでき、介助性や歩行性への影響を極めて小さなものとできる。また、手すり領域の十分な確保も可能となり、さらに、ロールペーパーの設置数も減らせるため取替え負担を軽減できるという実用上優れた特有の効果を数々奏することができるるものである。
【発明を実施するための最良の形態】
【００１２】
本発明の実施形態は、以下に記す構成からなる。
図１は、保育園等のトイレブースに本発明に係る紙巻器付手すりを設置した使用形態を示す斜視図である。
本発明に係る手すりは、図面に示す通り手すり本体１が、幼児等が愛着を持ってくれるように象の形をしており、壁などの仕切りが無い保育園等のトイレブースに設置されるものである。また、この手すり本体は、図面では一対設けられた大便器３の間で空間の一部を仕切るように配置され、象型に形成された手すり本体１の足と鼻にあたる３箇所が脚部となって床面に固定されている。
また、手すり本体１の象の頭に該当する部分が前方側に位置するように配置され、この頭の部分に形成された耳をモチーフとした貫通孔１Ａ内にロールペーパー１００が回転自在に支持されている。図１のα方向から見た図５に示す通り、ロールペーパー１００の中心が手すり本体１に支持され、ロールペーパー１００の両側が手すり本体１の両側からそれぞれ突出するように支持されている。これによって、両側の大便器使用者が容易に単一のロールペーパー１００を共有使用できるようにしているものである。これに加え。ロールペーパー１００の手すり本体１からの突出量が１／２にできるため、大きな出っ張りとなることを抑えて介助性や歩行性の邪魔にならないように配慮したものである。
【００１３】
この手すり本体１は、外周縁を含めその全体が手すりとして使用できるものであるが、大便器に跨る時、及び使用時に手をかけることができるように大便器３の側方に手すり用の開口１Ｂ、１Ｃが形成されている。開口が複数形成されている理由は、使用者の幼児の身長が異なっても無理なく使用できるように配慮しているものである。
なお、図中２は給水タンク、２Ａは給水タンク内の水を大便器内に流すためのレバーを示している。
【００１４】
以下手すり本体１につき、図３の斜視図、図４の側面図を用いて詳細に説明する。
手すり本体１は板状の手すりで、周縁は大きくＲをとった上部縁Ａとし、脚部Ｊは上部縁Ａよりも内側に入った形状となっている。この上部縁Ａは、幼児が伝い歩きをする際に、成長期にある幼児の体格に関係なく、スムーズに手すりに手をかけられる形状で幼児の動作補助の役割をするため、安全な歩行が可能となる。また脚部Ｊは幼児が手すりに近づきやすいよう蹴込部Ｂを設けており、安全にアプローチすることができる。
【００１５】
手すり本体１には所定の大きさの貫通孔１Ａが配置されており、該貫通孔１Ａ内にロールペーパー１００を回転自在に支持する支持棒１１０を配置する支持穴１Ｅ、１Ｆがあり、支持棒１１０にロールペーパー１００を通し、支持棒１１０両先端の突起１１０Ａ、１１０Ｂを本体１に配置された支持穴１Ｅ、１Ｆに嵌合させる構造となっている。これにより、手すり本体１は図１の方向αから見て、手すり本体１よりロールペーパー１００の両側が突出するように形成され、壁面等の仕切りが無いトイレブースであってもロールペーパーを大便器３側面に設置し、両側の使用者からロールペーパーを使用することが可能となっている。
【００１６】
ロールペーパー１００を配置する貫通孔１Ａはロールペーパー１００が略水平に回転自在に支持され、かつその回転軸が貫通孔１Ａの下方に編奇して支持されることで、貫通孔１Ａの下部とロールペーパー１００までの距離Ｈ２に対して、貫通孔１Ａ上端とロールペーパー１００上端までの距離Ｈ１が大きく開口するように形成した手すりとした。これによれば、ロールペーパー１００の貫通孔１Ａの上部隙間Ｈ１が大きく、手を挿入してロールペーパー１００を回転させやすくすることが出来、かつ下方側でロールペーパー１００の端を使用することになる使用者に対して下部隙間Ｈ２が小さいためロールペーパー１００の端が反対側に行きにくくなるため使いやすさを向上できる。  また、ロールペーパー１００を配置する貫通孔１Ａの下部縁Ｅはロールペーパー１００の下端と平行になるように略直線状に形成されており、これにより、ロールペーパー１００の下端と、貫通孔１Ａの下部縁Ｅとの距離を一定かつ最小にすることが出来、よりロールペーパー１００の端を反対側に行きにくくすることが可能となっている。
【００１７】
この点につき図２を用いて説明を加えると、手すり本体１の一側であるＸ側では、ロールペーパー１００の端が上方から垂れ下がった１０１の状態になるため、その使用に際して何等問題はないが、反対のＹ側では、ロールペーパー１００の端をＹ側の空間、すなわち自分の方に持ってこようとロールペーパー１００を回転させても、その自重で常に１０１の状態に端がなろうとするため、工夫がなければ端がＹ側に留まらずＸ側の空間に行ってしまうという問題が生じる。
そこで本発明においては、ロールペーパー１００の端が、ロールペーパー１００を回転させて端を自分の方に持ってくるだけで、ロールペーパー１００の端が自重で落ちる際に、貫通孔１Ａの下部縁Ｅに上手に引っ掛かって１０２の状態になり、端が確実にＹの空間内に残るようにしたものである。その工夫が、Ｈ２を小さくしたこと、及び、貫通孔１Ａの下部縁Ｅを水平な直線にしていることである。
本実施例では、下部縁を直線にしているが、若干量の円弧であれば支障はなく、反対に中央が凸になるような円弧ないし突起であれば直線と同等の効果で１０２の状態にできる。それは、幼児はペーパーを引きちぎるようにして切り取るため、中央部で固まったような状態に端がなるため、下部縁の中央部がペーパーに近接していたら問題ないものである。しかし、端が中央からずれているような場合は、やはり通り抜けて反対のＹの空間に端が行ってしまうため、やはりベスト構造はロールペーパー１００の下端と平行に下部縁Ｅを直線にすることである。
【００１８】
本体１にはロールペーパー１００を配置する該貫通孔１Ａの後方に２つの開口１Ｂと１Ｃを配置している。これは、略水平部分Ｆ、Ｇ、Ｈを大便器３に腰掛けた幼児が自分の体格に合った位置をつかめるよう複数の高さの手すりを構成しており、幼児が大便器３に着座する際や大便器３後方に配置されている給水タンク２のレバー２Ａを操作するために、大便器３後方に移動する際、手すりとして握ることが出来、より姿勢保持を確実にすることが可能となる。
【００１９】
ここで、貫通孔１Ａの後部縁Ｉが円弧形状に形成されている。これは、ロールペーパー１００の取替え時に、支持棒１１０を容易に操作できるようにＨ３の必要距離をロールペーパー１００と後部縁Ｉとの間に設ける一方で、貫通孔１Ａの開口量を小さくして手すりとしての耐荷重性を確保できるようにしているものである。具体的には、円弧形状という強度的に強い形状にしていること、及び、貫通孔１Ａの後部縁Ｉと開口１Ｂや１Ｃとの間に必要十分な強度面１Ｇを確保していることによるものである。
【００２０】
手すり本体１は３本の脚部Ｊを備え、この脚部Ｊはそれぞれ、脚部Ｊに固定される固定金具２０と、床面に固定されるベース金具４０に固定された３つのベース側固定金具４０Ａを介して図示しない床面に固定されている。また、脚部Ｊには、固定金具２０、ベース側固定金具４０Ａ及び取付用のボルト６０、７０等を覆うようにカバー部材１０がそれぞれ挿入されている。また、この３つの脚部Ｊは、略同一幅Ｄで、かつ同一傾斜角度Ｃで構成されているものであって、これは、各脚部Ｊのカバー部材１０を同一に使用することができるようにしたものであり、これにより製造コストをおさえることを可能としている。  なお、カバー部材１０は、脚部Ｊに挿入された後に、一端上方にスライドさせて、その状態で床面に固定されたベース金具４０に対して手すり本体１を固定し、作業の終了後にカバー部材１０を下方にスライドさせて固定金具２０、側ベース側固定金具４０Ａ等を覆うようにしていることは言うまでもない。
【００２１】
手すり本体１の取り付けは、複数の脚部Ｊにカバー部材１０を差込み、手すり本体１に固定金具２０を嵌合させ、ボルト穴１Ｄを介して取付けねじ３０で締め付ける。固定金具２０とベース側固定金具４０Ａには、手すり本体１の公差を吸収するため、及びそれぞれの部品の製造誤差を吸収するために、それぞれ長手方向の距離を吸収する長穴２０Ｂ及び４０Ｂ、垂直方向に誤差を吸収する長穴２０Ａが形成されている。これによって、手すりを設置する際に、前後方向の施工誤差や製造誤差を容易に吸収させて簡単に取り付けることができる。
図示しない床面に対してベース側固定金具４０Ａを配置し、ベース側固定金具４０Ａに配置された３つのコの字型のベース側固定金具４０Ａ上に配置された３つの床面固定用のボルト穴４０Ｃが計９個設けられ、これに座金５０およびボルト６０を差込み、図示しない床面と固定する。
【００２２】
カバー部１０には、その内部にツメ１０Ａが形成されており、このつめ１０Ａを固定金具２０の長穴２０Ｂに引っ掛けることにより、固定金具２０、４０等を隠蔽することができ、また、幼児の力では、容易にカバーが外れない構造とすることができる。
【００２３】
なお、本実施例においては、大便器３を２つ設置して、その間に手すり本体１を設けているが、これに限るものではなく、大便器３を複数設けて、その間に手すり本体１をそれぞれ設置しても良い。
また、大便器３間だけに手すり本体１を設置しているが、これに限ることなく大便器３の両側に手すり本体１を設置しても良い。その際は、両側にロールペーパー１００を設ける必要がないため大便器３間に位置する手すり本体１にだけロールペーパー１００を設置し、反対側にはロールペーパー１００を設置しないようにして、その開口１Ａを手すりとして機能させてもよく、必要に応じてロールペーパー１００を設定できない手すり本体１を準備してそれを設置するようにしてもよい。
【図面の簡単な説明】
【００２４】
【図１】本発明に係る手すりの使用形態を示す斜視図
【図２】図１におけるα方向から見た正面図
【図３】同手すりの分解斜視図
【図４】同手すりの側面図
【符号の説明】
【００２５】
１            …  手すり本体
１Ａ              …  貫通孔
１Ｂ，１Ｃ          …  開口
１Ｄ，４０Ｃ          …  ボルト穴
１Ｅ，１Ｆ          …  支持穴
１０              …  カバー部材
２０              …  固定金具
２０Ａ，２０Ｂ，４０Ｂ  …  長穴
４０              …  ベース金具
４０Ａ            …  ベース側固定金具
５０，９０          …  座金
６０，７０          …  ボルト
８０              …  ナット
１００            …  ロールペーパー
１１０            …  支持棒
１１０Ａ，１１０Ｂ  …  突起
【図１】
2008125926.tif 000003
【図２】
2008125926.tif 000004
【図３】
2008125926.tif 000005
【図４】
2008125926.tif 000006